(57)【要約】      （修正有）【課題】  設置位置を深くすることなく、広範囲の砂を液状化させてサンドポケットの大きさを拡大することができる浚渫用ポンプと、サンドポケットの深さを深くすることと、幅を大きくすることとができる浚渫装置を提供する。【解決手段】  浚渫用ポンプ１は、上側に折り曲げられた先端部２にエジェクタノズル３を備えた高圧水噴射パイプ４と、エジェクタノズル３が吸引口５の近傍に位置し、この吸引口５への高圧水の噴射によって周囲の土砂水を吸い込んで配送する排砂管６と、吸引口５の下方に位置した環状の噴流パイプ７とから構成され、噴流パイプ７の内側にはジェットノズル１８が適宜間隔ごとに設けられている。【選択図】図１
2006193897.tif 000002
【特許請求の範囲】
【請求項１】
上側に折り曲げられた先端部にエジェクタノズルを備えた高圧水噴射パイプと、前記エジェクタノズルが吸引口の近傍に位置し、この吸引口内への高圧水の噴射によって周囲の土砂水を吸い込んで配送する排砂管と、前記吸引口の下方に位置した環状の噴流パイプとから構成され、該噴流パイプにはジェットノズルが適宜間隔ごとに設けられたことを特徴とする浚渫用ポンプ。
【請求項２】
噴流パイプのジェットノズルは吸引口に向かって設置されたことを特徴とする請求項１に記載の浚渫用ポンプ。
【請求項３】
噴流パイプは平面円形、楕円形、多角形のいずれかであることを特徴とする請求項１または２に記載の浚渫用ポンプ。
【請求項４】
上側に折り曲げられた先端部にエジェクタノズルを備えた高圧水噴射パイプと、前記エジェクタノズルが吸引口の近傍に位置し、この吸引口内への高圧水の噴射によって周囲の土砂水を吸い込んで配送する排砂管と、前記吸引口の下方に位置した下側に伸びた噴流パイプとから構成され、該噴流パイプには多方向に向いてジェットノズルが設けられたことを特徴とする浚渫用ポンプ。
【請求項５】
砂が堆積した箇所に設置された桟橋と、この桟橋から海底の堆砂部に吊り下げられた複数の浚渫用ポンプと、該浚渫用ポンプに遠心ポンプで高圧水を圧送する給水管と、浚渫用ポンプで採取した土砂水を配送する排砂管とからなり、前記浚渫用ポンプが千鳥配置されたことを特徴とする浚渫装置。
【請求項６】
砂が堆積した箇所に設置された桟橋と、この桟橋から海底の堆砂部に吊り下げられた複数の浚渫用ポンプと、該浚渫用ポンプに遠心ポンプで高圧水を圧送する給水管と、前記浚渫用ポンプで採取した土砂水を配送する排砂管とからなり、漂砂の通過量が多い箇所は浚渫用ポンプの設置間隔を小さくし、漂砂の通過量が少ない箇所は浚渫用ポンプの設置間隔を大きくしたことを特徴とする浚渫装置。
【請求項７】
砂が堆積した箇所に設置された桟橋と、この桟橋から海底の堆砂部に吊り下げられた複数の浚渫用ポンプと、該浚渫用ポンプに遠心ポンプで高圧水を圧送する給水管と、前記浚渫用ポンプで採取した土砂水を配送する排砂管とからなり、漂砂の通過量が多い箇所は浚渫用ポンプの設置位置を深くし、漂砂の通過量が少ない箇所は浚渫用ポンプの設置位置を浅くしたことを特徴とする浚渫装置。
【請求項８】
浚渫用ポンプは千鳥配置されたことを特徴とする請求項６または７に記載の浚渫装置。
【請求項９】
浚渫用ポンプが設置された間にサンドポケットの法肩を崩壊させる崩壊用ジェットノズルが設置されたことを特徴とする請求項５〜８のいずれかに記載の浚渫装置。
【請求項１０】
浚渫用ポンプは、上側に折り曲げられた先端部にエジェクタノズルを備えた高圧水噴射パイプと、前記エジェクタノズルが吸引口の近傍に位置し、この吸引口内への高圧水の噴射によって周囲の土砂水を吸い込んで配送する排砂管と、前記吸引口の下方に位置した環状の噴流パイプとから構成され、該噴流パイプにはジェットノズルが適宜間隔ごとに設けられたことを特徴とする請求項５〜９のいずれかに記載の浚渫装置。
【請求項１１】
浚渫用ポンプは、上側に折り曲げられた先端部にエジェクタノズルを備えた高圧水噴射パイプと、前記エジェクタノズルが吸引口の近傍に位置し、この吸引口内への高圧水の噴射によって周囲の土砂水を吸い込んで配送する排砂管と、前記吸引口の下方に位置した下側に伸びた噴流パイプとから構成され、該噴流パイプには多数のジェットノズルが設けられたことを特徴とする請求項５〜９のいずれかに記載の浚渫装置。
【発明の詳細な説明】
【技術分野】
【０００１】
本発明は浚渫用ポンプおよび浚渫装置に関するものである。
【背景技術】
【０００２】
従来の浚渫用ポンプ６０は、図１２に示すように、Ｕ字状に折り曲げられた先端部６１にエジェクタノズル６２を備えた高圧水噴射パイプ６３と、前記エジェクタノズル６２が吸引口６４の近傍に位置し、この吸引口６４内への高圧水の噴射によって周囲の土砂水（スラリー）を吸い込んで配送する排砂管６５と、前記吸引口６４の下方に、攪拌用のジェットノズル６６を下側に備えた噴流パイプ６７が水平状に設置されて構成されていた。
【０００３】
また浚渫装置６８は、図１３に示すように、砂が堆積した箇所に設置された桟橋６９から海底の堆砂部７０に直線状に複数の浚渫用ポンプ７１が吊り下げられ、該浚渫用ポンプ７１に、高圧水を圧送する給水管７２と、採取した土砂水を排出する排砂管７３とが接続されて構成されていた。また、この他の浚渫用ポンプおよび浚渫装置としては、例えば特開２００２−２６６３６９号公報の発明がある。
【特許文献１】特開２００２−２６６３６９号公報
【発明の開示】
【発明が解決しようとする課題】
【０００４】
しかし、上記のような浚渫用ポンプ６０は噴流パイプ６７が水平状に設置され、その下側に攪拌用のジェットノズル６６が設置されたため、サンドポケット内への漂砂の流入が少なくなって攪拌がうまく行われずに効率的な吸い込みができないという問題があった。この問題の解決方法としては、浚渫用ポンプの設置位置を深くすることなく（浚渫用ポンプの設置位置を深くすると排出管に送る水圧を上げるため電気代などがかかり効率が悪くなる）、サンドポケットの大きさを拡大させて砂の採取可能量を増大させることと、広範囲の砂を液状化（噴流パイプのジェットノズルからの高圧水の噴射によって砂を噴き上げること）させてサンドポケットの大きさを拡大することとがある。
【０００５】
一方、浚渫装置６８は、浚渫用ポンプ７１が直線的に設置されているため、図１３の（３）および（４）に示すように、浚渫により形成されるサンドポケット７４が平面的に幅が広くかつ断面的に深度の深い部分７６と、平面的に幅が狭くかつ断面的に深度の浅い部分７７ができてしまう。この平面的に幅が広くかつ断面的に深度の深い部分７６の上を漂砂７５が通過する場合、海流の通過断面が増えるため一時的に速度が落ちて、サンドポケット７４内に漂砂７５が沈降する。しかし、平面的に幅が狭くかつ断面的に深度の浅い部分７７の上を漂砂７５が通過する場合は、海流の速度が落ちないため、サンドポケット７４内に漂砂７５が沈降せずに通過してしまうという問題があった。この問題の解決方法としては、サンドポケットの深さを深くすることと、幅を大きくすることとがある。
【０００６】
本発明は上記のような問題に鑑みてなされたものであり、その目的は、設置位置を深くすることなく、広範囲の砂を液状化させてサンドポケットの大きさを拡大することができる浚渫用ポンプと、サンドポケットの深さを深くすることと、幅を大きくすることとができる浚渫装置を提供することである。
【課題を解決するための手段】
【０００７】
本発明の浚渫用ポンプは、上側に折り曲げられた先端部にエジェクタノズルを備えた高圧水噴射パイプと、前記エジェクタノズルが吸引口の近傍に位置し、この吸引口内への高圧水の噴射によって周囲の土砂水を吸い込んで配送する排砂管と、前記吸引口の下方に位置した環状の噴流パイプとから構成され、該噴流パイプにはジェットノズルが適宜間隔ごとに設けられたことを特徴とする。またジェットノズルは吸引口に向かって設置されたことを含む。また噴流パイプは平面円形、楕円形、多角形のいずれかであることを含む。
【０００８】
また浚渫用ポンプは、上側に折り曲げられた先端部にエジェクタノズルを備えた高圧水噴射パイプと、前記エジェクタノズルがが吸引口の近傍に位置し、この吸引口内への高圧水の噴射によって周囲の土砂水を吸い込んで配送する排砂管と、前記吸引口の下方に位置した下側に伸びた噴流パイプとから構成され、該噴流パイプには多方向に向いてジェットノズルが設けられたことを特徴とする。
【０００９】
また浚渫装置は、砂が堆積した箇所に設置された桟橋と、この桟橋から海底の堆砂部に吊り下げられた複数の浚渫用ポンプと、該浚渫用ポンプに遠心ポンプで高圧水を圧送する給水管と、浚渫用ポンプで採取した土砂水を配送する排砂管とからなり、前記浚渫用ポンプが千鳥配置されたことを特徴とする。また浚渫用ポンプが設置された間にサンドポケットの法肩を崩壊させる崩壊用ジェットノズルが設置されたことを含む。また浚渫用ポンプは、上側に折り曲げられた先端部にエジェクタノズルを備えた高圧水噴射パイプと、前記エジェクタノズルが吸引口の近傍に位置し、この吸引口内への高圧水の噴射によって周囲の土砂水を吸い込んで配送する排砂管と、前記吸引口の下方に位置した環状の噴流パイプとから構成され、該噴流パイプにはジェットノズルが適宜間隔ごとに設けられたことを含む。また浚渫用ポンプは、上側に折り曲げられた先端部にエジェクタノズルを備えた高圧水噴射パイプと、前記エジェクタノズルが吸引口の近傍に位置し、この吸引口内への高圧水の噴射によって周囲の土砂水を吸い込んで配送する排砂管と、前記吸引口の下方に位置した下側に伸びた噴流パイプとから構成され、該噴流パイプには多方向に向いたジェットノズルが設けられたことを含むものである。
【００１０】
また浚渫装置は、砂が堆積した箇所に設置された桟橋と、この桟橋から海底の堆砂部に吊り下げられた複数の浚渫用ポンプと、該浚渫用ポンプに遠心ポンプで高圧水を圧送する給水管と、前記浚渫用ポンプで採取した土砂水を配送する排砂管とからなり、漂砂の通過量が多い箇所は浚渫用ポンプの設置間隔を小さくし、漂砂の通過量が少ない箇所は浚渫用ポンプの設置間隔を大きくしたことを特徴とする。また浚渫用ポンプは千鳥配置されたことを含む。また浚渫用ポンプが設置された間にサンドポケットの法肩を崩壊させる崩壊用ジェットノズルが設置されたことを含む。また浚渫用ポンプは、上側に折り曲げられた先端部にエジェクタノズルを備えた高圧水噴射パイプと、前記エジェクタノズルが吸引口の近傍に位置し、この吸引口内への高圧水の噴射によって周囲の土砂水を吸い込んで配送する排砂管と、前記吸引口の下方に位置した環状の噴流パイプとから構成され、該噴流パイプにはジェットノズルが適宜間隔ごとに設けられたことを含む。また浚渫用ポンプは、上側に折り曲げられた先端部にエジェクタノズルを備えた高圧水噴射パイプと、前記エジェクタノズルが吸引口の近傍に位置し、この吸引口内への高圧水の噴射によって周囲の土砂水を吸い込んで配送する排砂管と、前記吸引口の下方に位置した下側に伸びた噴流パイプとから構成され、該噴流パイプには多方向に向いてジェットノズルが設けられたことを含むものである。
【００１１】
また浚渫装置は、砂が堆積した箇所に設置された桟橋と、この桟橋から海底の堆砂部に吊り下げられた複数の浚渫用ポンプと、該浚渫用ポンプに遠心ポンプで高圧水を圧送する給水管と、前記浚渫用ポンプで採取した土砂水を配送する排砂管とからなり、漂砂の通過量が多い箇所は浚渫用ポンプの設置位置を深くし、漂砂の通過量が少ない箇所は浚渫用ポンプの設置位置を浅くしたことを特徴とする。また浚渫用ポンプは千鳥配置されたことを含む。また浚渫用ポンプが設置された間にサンドポケットの法肩を崩壊させる崩壊用ジェットノズルが設置されたことを含む。また浚渫用ポンプは、上側に折り曲げられた先端部にエジェクタノズルを備えた高圧水噴射パイプと、前記エジェクタノズルが吸引口の近傍に位置し、この吸引口内への高圧水の噴射によって周囲の土砂水を吸い込んで配送する排砂管と、前記吸引口の下方に位置した環状の噴流パイプとから構成され、該噴流パイプにはジェットノズルが適宜間隔ごとに設けられたことを含む。また浚渫用ポンプは、上側に折り曲げられた先端部にエジェクタノズルを備えた高圧水噴射パイプと、前記エジェクタノズルが吸引口の近傍に位置し、この吸引口内への高圧水の噴射によって周囲の土砂水を吸い込んで配送する排砂管と、前記吸引口の下方に位置した下側に伸びた噴流パイプとから構成され、該噴流パイプには多方向に向いたジェットノズルが設けられたことを含むものである。
【発明の効果】
【００１２】
環状にした噴流パイプにジェットノズルを設けた（三次元的な位置）ことにより、浚渫によって形成されるサンドポケットの底面積が広がるので、その要量が大きくなる。このようにサンドポケットが大きくなると、同じエネルギーで浚渫しても、多くの砂を広範囲に浚渫することが可能になるので効率的な浚渫をすることができる。またジェットノズルが吸引口に向かって設置されたことにより、噴流パイプの周辺の土砂水をスムーズに吸引口内へ吸い込むことができる。また噴流パイプを下側に伸ばして多方向に向いたジェットノズルを設けたことにより、サンドポケットの液状化範囲が拡大できるので、サンドポケットを大きくすることができる。
【００１３】
また浚渫装置における浚渫用ポンプを千鳥配置にしたことにより、平面的にサンドポケットの幅の狭い部分や浅い部分がなくなるため、サンドポケット上を通過する漂砂を効率よくサンドポケット内に取り込んで効率よく浚渫することができる。また浚渫装置における浚渫用ポンプが設置された間にサンドポケットの法肩を崩壊させる崩壊用ジェットノズルが設置されたことにより、平面的に浚渫の範囲を広げることができるので、サンドポケット上を通過する漂砂を効率よくサンドポケット内に取り込んで効率よく浚渫することができる。
【００１４】
また浚渫装置において漂砂の通過量が多い箇所は浚渫用ポンプの設置間隔を小さくし、漂砂の通過量が少ない箇所は浚渫用ポンプの設置間隔を大きくしたことにより、漂砂の通過量が多い箇所ではサンドポケット上を通過する漂砂を効率よくサンドポケット内に取り込んで効率よく浚渫することができ、漂砂の通過量が少ない箇所では浚渫用ポンプを過大に設置することがない。
【００１５】
また浚渫装置において漂砂の通過量が多い箇所は浚渫用ポンプの設置位置を深くし、漂砂の通過量が少ない箇所は浚渫用ポンプの設置位置を浅くしたことにより、平面的に漂砂の通過量の多い箇所ではサンドポケットの幅が大きくなるので、漂砂を通過させることなく、漂砂を効率よくサンドポケット内に取り込んで効率よく浚渫することができる。
【００１６】
また設置間隔または設置深さを変えた浚渫用ポンプを千鳥配置したことにより、さらにサンドポケット上を通過する漂砂を効率よくサンドポケット内に取り込んで効率よく浚渫することができる。
【００１７】
また設置間隔または設置深さを変えた浚渫用ポンプが設置された間にサンドポケットの法肩を崩壊させる崩壊用ジェットノズルが設置されたことにより、平面的に浚渫の範囲を広げることができるので、サンドポケット上を通過する漂砂を効率よくサンドポケット内に取り込んで、さらに効率よく浚渫することができる。
【００１８】
また設置間隔または設置深さを変えた浚渫用ポンプや、設置間隔または設置深さを変えて千鳥配置にした浚渫用ポンプの噴流パイプを環状にして、その内側にジェットノズルを設けた（三次元的な位置）ことにより、浚渫によって形成されるサンドポケットの底面積が広がるので、さらに効率的な浚渫をすることができる。
【００１９】
また設置間隔または設置深さを変えた浚渫用ポンプや、設置間隔または設置深さを変えて千鳥配置にした浚渫用ポンプの噴流パイプを下側に伸ばして多方向に向いたジェットノズルを設けたことにより、サンドポケットの液状化範囲を拡大することができるので、サンドポケットを大きくして、さらに効率的な浚渫をすることができる。
【発明を実施するための最良の形態】
【００２０】
以下、本発明の浚渫用ポンプおよび浚渫装置の実施の形態を図面に基づいて説明する。はじめに、浚渫用ポンプについて説明し、その後に、この浚渫用ポンプを使用した浚渫装置について説明するが、各実施の形態において同じ構成は同じ符号を付して説明し、異なった構成にのみ異なった符号を付して説明する。
【００２１】
図１および図２は、第１の実施の形態の浚渫用ポンプ１を示したものである。この浚渫用ポンプ１は、Ｕ字形に折り曲げられた先端部２にエジェクタノズル３を備えた高圧水噴射パイプ４と、前記エジェクタノズル３が吸引口内５に位置し、この吸引口内５への高圧水の噴射によって周囲の水を吸い込む吸引パイプ６と、上記エジェクタノズル３と吸引口５との下方に位置した環状の噴流パイプ７とから構成されている。
【００２２】
この高圧水噴射パイプ４と噴流パイプ７とは吸引パイプ６を挟むような箇所に対向設置され、これらが二本の連結材８で接続されている。また、この高圧水噴射パイプ４と噴流パイプ７には途中で二つに分岐した給水管９が接続され、該給水管９に設置された遠心ポンプ１０によってが高圧水が給水されるようになっている。
【００２３】
また土砂水を圧送する排砂管６は横移動用の樋１１に接続され、この樋１１がスラリーピット１３に接続されている。またＵ字状に折り曲げられて上側を向いた高圧水噴射パイプの先端部２が吸引パイプ６の真下に位置し、先端のエジェクタノズル３が吸引パイプ６のスカート部１４における吸引口５内に位置している。このスカート部１４はのど部１５を介して拡散部１６に接続され、その内側には、下側が広くかつ上側に向かって狭く形成された吸引部１７が取外自在に設置されている。
【００２４】
一方、吸引口５の下側に位置した噴流パイプ７は平面円形の環状に形成され、分岐した一方の給水管９が接続されている。また噴流パイプ７は環状の中心点と吸引口５の中心点とが一致したジェットノズル１８が吸引口５に向かってに設置されて攪拌された砂が吸引口５側に噴き上げられるようになっている。このジェットノズル１８は噴流パイプ７の内周面における同心円上ではなく、上下方向にずらして設けることもできる。
【００２５】
したがって、高圧水噴射パイプ４に給水管９から遠心ポンプ１０で高圧水が給水されると、これがエジェクタノズル３から吸引口５に噴流され、この噴流によりスカート部１４内が負圧となって周りの水が吸引口５から吸い込まれる。一方、噴流パイプ７に給水管９から遠心ポンプ１０で高圧水が給水されると、これが噴流パイプ７のジェットノズル１８から吸引口５側に噴流されて砂などを噴き上げて、吸引口５から吸い込まれる。そして、この吸引口５から吸い込まれた土砂水は排砂管６を通して上方の樋１１まで上げられ、これを通してスラリーピット１３に送られ、ここから圧送ポンプ１２によって所定の場所までに配送される。
【００２６】
また図３は、この浚渫用ポンプ１の浚渫によって形成されたサンドポケット１９、２０を示したものであり、通常の浚渫用ポンプを海底地盤から１０ｍの深さに設置して安息角が４５°の場合、サンドポケット１９の容量は１，０４７ｍ３になる。しかし、この状態から堆積砂の液状化範囲を浚渫用ポンプ１で直径にして１ｍ増加させた場合、サンドポケット２０の容量は１，２１２ｍ３に増加する。このときエジェクタノズル３の設置深さは変わらないので、基本的に供給エネルギーを変えることなく浚渫の効率を上げることができる。
【００２７】
なお、噴流パイプ７は、上記のように平面円形に限らず、楕円形、多角形のいずれであってもよい。
【００２８】
また図４は、第２の実施の形態の浚渫用ポンプ２１を示したものである。この浚渫用ポンプ２１は、Ｌ字形の給水管９の先端部に噴流パイプ７を下側に伸ばし、ここに複数の方向に向いたジェットノズル１８を設けたものであり、これ以外は上記の第１の実施の形態の浚渫用ポンプ１と同じ構成である。この噴流パイプ７の中心軸とエジェクタノズル３の中心点とを一致させて垂直状に設けたので、サンドポケットの深さを容易に拡大することができる。またジェットノズル１８は下方き、上向き、斜め上向きおよび横向きなどの様々な方向を向いて設置されているため、堆積砂の液状化を効果的に行うことができる。
【００２９】
また図５は、上記の浚渫用ポンプ２１の浚渫によって形成されたサンドポケット２２、２３を示したものであり、通常の浚渫用ポンプを海底地盤から１０ｍの深さに設置して安息角が４５°の場合、サンドポケット２２の容量は１，０４７ｍ３になる。しかし、この状態から堆積砂の液状化範囲を浚渫用ポンプ２１で深さにして１ｍ増加させた場合、サンドポケット２３の容量は１，３９４ｍ３に増加する。このときエジェクタノズル３の設置深さは変わらないので、基本的に供給エネルギーを変えることなく浚渫の効率を上げることができる。
【００３０】
また図６〜図８は、第１の実施の形態の浚渫装置２５を示したものである。この浚渫装置２５は、図６に示すように、上手側に堆積した砂２６を排砂管３９で下手側に移動する、いわゆるサンドバイパス工法に適用するものであり、砂が堆積された箇所２７に設置される。このように海岸線に直行する方向に港湾、漁港、あるいは突堤などの遮蔽物２８があると、沿岸漂砂により波の卓越方向に対する上手側では砂２７が堆積し、下手側では浸食される。
【００３１】
この浚渫装置２５は、砂が堆積した箇所２７に設置された桟橋２９と、この桟橋２９から海底の堆砂部３０に吊り下げられた複数の浚渫用ポンプ３１と、該浚渫用ポンプ３１に遠心ポンプ３２で高圧水を圧送する給水管３３と、浚渫用ポンプ３１で採取した土砂水を配送する排砂管３９とから構成されている。
【００３２】
この浚渫用ポンプ３１は、Ｕ字形に折り曲げられた先端部３５にエジェクタノズル３６を備えた高圧水噴射パイプ３７と、前記エジェクタノズル３６が吸引口３８に向かって位置し、この吸引口３８への高圧水の噴射によって周囲の土砂水を吸い込んで配送する排砂管３９と、上記吸引口３８の下方に位置した噴流パイプ４０とから構成され、この高圧水噴射パイプ３７と噴流パイプ４０には途中で二つに分岐した給水管３３が接続され、該給水管３３に設置された遠心ポンプ３２によってが高圧水が給水される。
【００３３】
この二つに分岐した給水管３３には浚渫用ポンプ３１側に向かって順に自動バルブ４１、流量計４２および圧力計４３がそれぞれ設置され、これらがコントロール室のパーソナルコンピュータ（以下パソコンという）４４と電気的に接続されて、ここからの信号によって自動バルブ４１が自動開閉するようになっている。
【００３４】
一方、排砂管３９は上方の樋３４に接続され、この樋３４がスラリーピット４５につながれ、このスラリーピット４５が圧送ポンプ４６に接続されている。また排砂管３９にも圧力計４３、流量計４２、密度計４７がそれぞれ設置され、これらも上記のパソコン４４と電気的に接続されている。
【００３５】
また、浚渫用ポンプ３１は、図８に示すように、千鳥配置に設置されて、各サンドポケット４８が平面的に重なり合うように設置されたことにより、サンドポケット４８の幅の狭い部分がなくなって幅広の部分４９が増えるとともに、サンドポケット４９の浅い部分も減って深い部分５０が多くなるので、サンドポケット４８上を通過する漂砂５１をサンドポケット４８内へ確実に取り込むことができ、効率のよい浚渫をすることができる。
【００３６】
また図９は、第２の実施の形態の浚渫装置５２を示したものである。この浚渫装置５２は、漂砂５１の通過量が多い箇所５３の浚渫用ポンプの設置間隔５４を小さくし、漂砂の通過量が少ない箇所５５の浚渫用ポンプの設置間隔５４を大きくしたものであり、これ以外は上記の第１の実施の形態の浚渫装置２５と同じ構成である。このことにより、漂砂の通過量の多い箇所５３は隣接したサンドポケット４８との重なり合いが大きくなって、サンドポケット４８の幅が狭くて深度の浅い部分がなくなり、幅広で深度の深い部分４９が増えるので、サンドポケット４８上を通過する漂砂５１をサンドポケット４８内に多く取り込んで効率よく浚渫することができる。一方、漂砂の通過量が少ない箇所５５では浚渫用ポンプ３１を過大に設置しないので、効率的な設計をすることができる。
【００３７】
また図１０は、第３の実施の形態の浚渫装置５６を示したものである。この浚渫装置５６は、漂砂の通過量が多い箇所５３は浚渫用ポンプ３１の設置位置を深くし、漂砂の通過量が少ない箇所５５は浚渫用ポンプ３１の設置位置を浅くしたものであり、これ以外は第１の実施の形態の浚渫装置２５と同じ構成である。このことにより、漂砂の通過量の多い箇所５３はサンドポケット４８が大きくなって隣接したサンドポケット４８との重なり合いも大きくなるので、サンドポケット４８上を通過する漂砂５１をサンドポケット４８内に多く取り込んで効率よく浚渫することができる。一方、漂砂の通過量が少ない箇所５５では浚渫用ポンプ３１を過大に設置しないので、効率的な設計をすることができる。
【００３８】
また、第２および第３の実施の形態の浚渫装置５２、５６における浚渫用ポンプ３１を千鳥配置に設置することもできる（図示せず）。このように各サンドポケット４８が平面的に重なり合ったことにより、サンドポケットの幅の狭い部分がなくなり幅広の部分４９が増えるとともに、サンドポケットの浅い部分も減って深い部分５０が多くなるので、サンドポケット４８上を通過する漂砂５１をサンドポケット４８内に確実に取り込むことができ、効率のよい浚渫をすることができる。
【００３９】
また図１１は、第４の実施の形態の浚渫装置５７である。この浚渫装置５７は、サンドポケットの法肩５８を崩壊させる崩壊用ジェットノズル５９が千鳥配置された浚渫用ポンプ３１間に設置されたものであり、これ以外は第１の実施の形態の浚渫装置２５と同じ構成である。この崩壊用ジェットノズル５９によって、堆積砂の液状化範囲が広がるので、サンドポケット４８上を通過する漂砂５１を効率よくサンドポケット４８内に取り込んで、さらに効率のよい浚渫することができる。
【００４０】
なお、第２および第３の実施の形態の浚渫装置５２、５６のように設置間隔５４または設置深さを変えた浚渫用ポンプ３１間に崩壊用ジェットノズル５９を設置することもできる。このことにより、平面的に浚渫の範囲を広げることができるので、サンドポケット４８上を通過する漂砂５１を効率よくサンドポケット４８内に取り込んで、さらに効率よく浚渫することができる。
【００４１】
また、上記の第１〜４の実施の形態の浚渫装置２５、５２、５６、５７やその他の浚渫装置に、上記の第１または第２の実施の形態の浚渫用ポンプ１、２１を設置することができる。この浚渫用ポンプ１、２１を設置することにより、エジェクタノズル３の設置深さを変えずに、すなわち基本的に供給エネルギーを変えることなくサンドポケット４８の容量を増やすことができるので浚渫の効率を上げることができる。
【図面の簡単な説明】
【００４２】
【図１】第１の実施の形態の浚渫用ポンプの断面図である。
【図２】第１の実施の形態の浚渫用ポンプの斜視図である。
【図３】サンドポケットの概念図である。
【図４】第２の実施の形態の浚渫用ポンプの正面図である。
【図５】サンドポケットの概念図である。
【図６】第１の実施の形態の浚渫装置の平面的な概念図である。
【図７】第１の実施の形態の浚渫装置の立体的な概念図である。
【図８】（１）は浚渫用ポンプを千鳥配置した斜視図、（２）は同平面図である。
【図９】（１）は浚渫用ポンプの設置間隔を変えた断面図、（２）は同平面図である。
【図１０】（１）は浚渫用ポンプの設置深さを変えた断面図、（２）は同平面図である。
【図１１】（１）は千鳥配置の浚渫用ポンプ間に崩壊用ジェットノズルを設置した斜視図、（２）は同平面図である。
【図１２】従来の浚渫用ポンプの斜視図である。
【図１３】従来の浚渫装置であり、（１）は断面図、（２）は平面図、（３）および（４）はサンドポケットの断面図である。
【符号の説明】
【００４３】
１、２１、３１、６０、７１  浚渫用ポンプ
２、３５、６１  先端部
３、３６、６２  エジェクタノズル
４、３７、６３  高圧水噴射パイプ
５、３６、６４  吸引口
６、３９、６５、７３  排砂管
７、４０、６７  噴流パイプ
８  連結材
９、３３、７２  給水管
１０、３２  遠心ポンプ
１１、３４  樋
１２、４６  ポンプ
１３、４５  スラーリピット
１４  スカート部
１５  のど部
１６  拡散部
１７  吸引部
１８、６６  ジェットノズル
１９、２０、２２、２３、４８、７４  サンドポケット
２５、５２、５６、５７、６８  浚渫装置
２６  土砂水
２７  砂が堆積された箇所
２８  遮蔽物
２９、６９  桟橋
３０、７０  堆砂部
４１  自動バルブ
４２  流量計
４３  圧力計
４４  パソコン
４７  密度計
４９、７６  幅の広い部分
５０  深い部分
５１、７５  漂砂
５３  通過量の多い箇所
５４  設置間隔
５５  通過量の少ない箇所
５８  法肩
５９崩壊用ジェットノズル
【図１】
2006193897.tif 000003
【図２】
2006193897.tif 000004
【図３】
2006193897.tif 000005
【図４】
2006193897.tif 000006
【図５】
2006193897.tif 000007
【図６】
2006193897.tif 000008
【図７】
2006193897.tif 000009
【図８】
2006193897.tif 000010
【図９】
2006193897.tif 000011
【図１０】
2006193897.tif 000012
【図１１】
2006193897.tif 000013
【図１２】
2006193897.tif 000014
【図１３】
2006193897.tif 000015